(57)【要約】【課題】換気扇のシャッターの隙間から浸入した雨水が室内へ浸入することを防止する。【解決手段】本発明の換気扇１は枠状のフレーム２の底面５を、シャッター６方向に向かうにつれて緩やかに下る傾斜となるように設け、底面５の上方で、室内側９９に向かうにつれて緩やかに下る傾斜となる雨水案内面９を設けている。シャッター６間やシャッター６と枠状のフレーム２との隙間より浸入し、滴下した雨水が換気扇１内部に滞ることなく、雨水案内面９と底面５を伝って室外側１００へ排水され室内側９９へ浸入することを防止する換気扇が得られる。【選択図】図１
2020067184.tif 000002
【特許請求の範囲】
【請求項１】
室内側にフランジ部を有する枠状のフレームと、前記枠状のフレーム内部に電動機と、
前記電動機の回転軸に着脱自在に設けられたファンと、
前記フランジ部に嵌着され、前記ファンに空気を案内する風洞となるオリフィスと、
前記枠状のフレームの室外側にシャッターとを有し、
前記枠状のフレームの底面を、前記シャッターに向かうにつれて緩やかに下る傾斜となるように設け、前記底面の上方位置に室内側に向かうにつれて緩やかに下る傾斜となる雨水案内面を設けたことを特徴する換気扇。
【請求項２】
前記雨水案内面を設ける位置を、前記オリフィスの吸込み口となるベルマウス部よりも低くしたことを特徴とする請求項１に記載の換気扇。
【請求項３】
前記雨水案内面の端面より室内側で、前記底面の室内側から室外側に向けて傾斜する急勾配な傾斜部を設けたことを特徴とする請求項１、２に記載の換気扇。
【請求項４】
前記枠状フレームの下部コーナー部に電気部品収納箱を備え、
前記雨水案内面は前記電気部品収納箱の側壁とつながって形成したことを特徴とする請求項１〜３記載の換気扇。
【発明の詳細な説明】
【技術分野】
【０００１】
本発明は、建物の壁などに取り付けられるシャッターを備えた換気扇に関するものである。
【背景技術】
【０００２】
従来、この種の換気扇の部品構成例として、本体枠と、電動機と、オリフィスと、ファンと、シャッターを備えたものがあり、例えば特許文献１に開示されている。
その構成について説明する。換気扇は住宅の壁面に設けられ、室外と連通する換気口等に設置される。換気扇の本体枠は枠状のフレームで構成し、内部には内壁から突設された固定脚に固定された電動機が設けられ、電動機の回転軸にはファンが着脱自在に設けられる。また枠状のフレームの室外側には、室外側の開口部を開閉する複数枚のシャッターと、これらのシャッターを連結して動作させるシャッター連結板を備えている。シャッターは換気扇の運転時は開き、停止時には室外から室内への外風、雨水や光の侵入を防ぐために設けている。
また換気扇の運転スイッチと連動してシャッターの開閉が行われるものや、風圧式でシャッターを開閉するものなどがある。
【先行技術文献】
【特許文献】
【０００３】
【特許文献１】特開２０００-３０４３１８号公報
【発明の概要】
【発明が解決しようとする課題】
【０００４】
このような従来の換気扇においては、室外側にシャッターを備えているものの、外風が強い場合や、雨の量が多い場合は、シャッターの隙間等から雨水が換気扇内部に侵入するといった課題があった。また、内部に侵入した雨水が換気扇の内部や底面部を伝って換気扇枠のフランジより室内へ浸入し、室内床面や取付壁面が汚れるといった課題を有していた。
【０００５】
本発明は、上記課題を鑑みてなされたものであって、シャッターの隙間から浸入した雨水が室内へ浸入することを防止することができる換気扇を提供するものである。
【課題を解決するための手段】
【０００６】
上述した課題を解決し、目的を達成するために、本発明の換気扇は、室内側にフランジ部を有する枠状のフレームと、枠状のフレーム内部には電動機と、電動機の回転軸に着脱自在に設けられたファンを備え、ファンに空気を案内する風洞となるオリフィスと、前記枠状のフレームの室外側にシャッターを設ける。枠状のフレームの底面には、室内側から室外側に向けて、緩やかに下る傾斜を設け、また、換気扇底面の上方で、室外側から室内側に向かうにつれて緩やかに下る傾斜となる雨水案内面を設けたものである。
【発明の効果】
【０００７】
雨水案内面を設けることで、シャッターの隙間から浸入した雨水は、雨水案内面を伝って、やがて換気扇フレームの底面に落下する。落下した雨水は、シャッター方向に対して緩やかに下る傾斜となる底面を伝って室外側に速やかに流れ室外に排出する。
この構成により、換気扇内部に雨水が溜まることなく室外へ排水でき、室内へ浸入することを防止することができる。
【図面の簡単な説明】
【０００８】
【図１】本発明の実施の形態１における換気扇の設置状態を示す側面断面図である。
【図２】換気扇のファンを外した状態を示す室内側から見た正面図である。
【図３】換気扇の底面部拡大側面図である。
【図４】換気扇のオリフィス、ファンを外した状態で室内側から見た斜視図である。
【発明を実施するための形態】
【０００９】
以下に、本発明にかかる換気扇の実施の形態を図面に基づいて説明する。
【００１０】
実施の形態1.
本発明の換気扇１は、図１、２に示すように、箱形の枠状のフレーム２と、枠状のフレーム２の端部には室内側９９の壁面に向けて沿うように形成されたフランジ部１１を設けている。また枠状のフレーム２は、換気扇１全体を支持する強度を有する略矩形状の例えば合成樹脂で形成されたものであり、室内側９９と室外側１００とがそれぞれ開口したものである。枠状のフレーム２の内部には電動機３を固定するための電動機固定脚１２を設ける。なお、枠状のフレーム２は上記説明の形状に限定するものではなく、例えば形状は円形状であってもよい。
【００１１】
電動機固定脚１２は、図２では電動機固定脚１２を枠状のフレーム２の上下で固定して２本備えている。また、電動機固定脚１２は中央に電動機３を保持するための電動機固定部１３を有する。電動機３は略Ｈ字形状に固定ネジ（図示しない）で電動機固定部１３に固定する。このように電動機固定脚１２は電動機３を電動機固定部１３を介して枠状のフレーム２の内部に接続する形状としている。この形状は、電動機３をしっかり固定できるとともに枠状のフレーム２の強度を高くしている。電動機固定脚１２は上記説明の形状に限定するものではなく、例えば形状は放射状であってもよい。
【００１２】
電動機固定部１３には、電動機３がネジ等で固定され、電動機３の回転軸１４にはファン４が着脱自在に取り付けられる。換気扇１が壁に固定された状態において、電動機３によりファン４を回転駆動させることで、本体枠の室内側９９の空気と、室外側１００の空気とを換気する。ファン４を着脱自在にすることでファン４の清掃や換気扇１内部のメンテナンス等が容易にできる。
【００１３】
枠状のフレーム２の室内側９９には、フランジ部１１を覆うようにオリフィス７が着脱自在に設けられる。オリフィス７は、枠状のフレーム２とファン４との隙間を塞いで、室内の空気をファン４に導く風洞として機能する。なお、オリフィス７は、合成樹脂や金属などで形成されており、例えば、台所などで使用される換気扇１では排気中の油分を回収する油受けと一体となっているものや、フィルター、メッシュガード等が取り付けられているものもあるが、図２においてはその図示を省略する。またオリフィス７を着脱自在にすることで、オリフィス７の清掃や換気扇１の内部のメンテナンス性を良くしている
【００１４】
枠状のフレーム２の室外側１００には、室外側開口を開閉する複数のシャッター６を備えている。図１ではシャッター６をフレーム２の上から下に３枚備えている。シャッター６は、ファン４が発生させる換気流の風圧によって、室外側上方向へ回動し、横向きとなることで風路を開き、ファン４が停止すると自重により下方へ回動して下向きとなり風洞を閉じる。また、これらシャッター６は連結板（図示しない）で連結されており、３枚同時に開閉動作をするようにしている。なおシャッター６の開閉方式は風圧式シャッターに限定するものではなく、換気扇の引き紐スイッチや壁スイッチに連動して開く機械式シャッターでもよい。シャッター６を備えることで、外風が吹いた場合の外気の侵入、雨水や光の侵入を防止するようにしている。
【００１５】
図３に枠状のフレーム２の底面５部の拡大図を示す。フレーム２の底面５は、シャッター６の方向に対して緩やかに下る傾斜となるとように設けられている。このようにすることでフレーム２内に侵入し底面５に溜まった雨水が室外側１００へ排出できるようにしている。
【００１６】
底面５の上方で、オリフィス７と干渉しないようベルマウス部８よりも低い位置に、室内側９９に向かうにつれて緩やかに下る傾斜となる雨水案内面９を、前記底面５の室内側端面よりも後方の位置まで設ける。
【００１７】
外風が強い場合や、雨水の量が多い場合は、室外側１００から換気扇１内に雨水が侵入し、枠状のフレーム２の内壁や、電動機３の背面などに付着する場合がある。これら枠状のフレーム２内部に付着した雨水は、自重により下降し雨水案内面９上や、底面５上に滴下する。
【００１８】
枠状のフレーム２の底面５に滴下すると、前述したように底面５は室外側１００に向かって下りの傾斜となるため、そのまま室外側１００に伝って排水される。枠状のフレーム２の内壁についた雨水も自重で雨水案内面９上に滴下し、前記雨水案内面９が室内９９側に向かって下りの傾斜となるため、雨水は室内側９９に伝って流れ出し、雨水案内面９の先端で底面５に落下し底面５を伝って室外側１００へ排水される。
【００１９】
枠状のフレーム２の底面５、また底面５の上方に位置する雨水案内面９が傾斜を形成しているため、浸入した雨水は枠状のフレーム２の内部に滞ることなく排水される。よってシャッター６の間やシャッター６と枠状のフレーム２との間から浸入した雨水が室内側９９へ浸入することを防止することができる。
【００２０】
雨水案内面９は高さ方向で、ベルマウス部８と底面５の間に設けていることで、雨水案内面９を伝う水は、ベルマウス部８に乗り上げることがなくオリフィス７の表面から室内側９９に侵入する水も防止可能である。
【００２１】
さらに底面５に、雨水案内面９よりも室内側９９に、底面５よりも急勾配な傾斜部１０を設けている。傾斜部１０は室内側９９から室外側１００に向けて下る傾斜となっている。この傾斜部１０を設けることで、雨水案内面９より落下した水は、底面５に確実に回収される。また、外風が強い場合でも、傾斜部１０によりせき止められるため、雨水が室内側９９に侵入し難い。
【００２２】
そして、枠状のフレーム２の底面５の上方に雨水案内面９を設けたことで、フレーム２を樹脂の金型成形で製造する際、傾斜部１０や雨水案内面９を金型にスライド構造などを用いることなく成形が可能となる。従って簡易な金型構造で雨水案内面９や傾斜部１０の形状が容易に設けることができることから、金型製造コストの抑制も期待できる。
【００２３】
また電動機３の電動機固定脚１２間に雨水案内面９を設けたことで、電動機固定脚１２のクリープ耐力の向上を実現でき、さらにシャッター６の支持面の形成も実現できることから、シャッター６の外風耐力の向上も実現できる。
【００２４】
図４は換気扇のオリフィス７、ファン４を外した状態で室内側９９から見た斜視図である。
換気扇１の枠上のフレーム２の左下部コーナー部に電気部品収納箱１５を備えている。これは電動機３に電源を供給する電源電線（図示しない）と電動機３からの電線を接続する接続端子（図示しない）や、電動機３を駆動するためのコンデンサ（図示しない）等を収納するものである。
【００２５】
電気部品収納箱１５は箱状に形成し、室内側９９にカバーを設けている。図５ではカバーが閉じられている場合を図示している。コンデンサ交換時などはこのカバーを開けて作業をするが、通常は閉じられている。また、電気部品収納箱１５の室外側１００は、箱状で密閉されており、室外側１００からの外風や雨水が電機部品収納箱１５内に侵入することはない。
【００２６】
雨水案内面９の室内側右側部は、この電気部品収納箱１５の壁と一体で形成されている。従って雨水案内面９を伝ってきた雨水も、電気部品収納箱１５の背面から伝って来る雨水も完全に底面５に回収されることが可能となっている。
【産業上の利用可能性】
【００２７】
以上のように、本発明にかかる換気扇１は、シャッター６間やシャッター６と枠状のフレーム２との隙間から浸入した雨水の室内への浸入を防止することができることを可能とするものとして居室やトイレ、浴室などに設置される換気扇等に有用である。
【符号の説明】
【００２８】
１      換気扇本体
２      枠状のフレーム
３      電動機
４      ファン
５      底面
６      シャッター
７      オリフィス
８      ベルマウス部
９      雨水案内面
１０    傾斜部
１１    フランジ部
１２    電動機固定脚
１３    電動機固定部
１４    回転軸
１５    電気部品収納箱
９９    室内側
１００  室外側
【図１】
2020067184.tif 000003
【図２】
2020067184.tif 000004
【図３】
2020067184.tif 000005
【図４】
2020067184.tif 000006